(57)【要約】【課題】歩くのに支障がある高齢者などにとって杖は必需品であるが、歩くのを助ける補助具としてだけでなく、たまには休憩したり荷物運びにも使いたいという希望もあり、多機能を持った杖が望まれている。【解決手段】棒状体上端を握り部兼脇支え部とし、長さが調節できる棒状体の中間に腰掛け座面を設け、歩くときはそのまま杖としても松葉杖としても使用でき、疲れたときには杖を横に倒し、腰掛け座面に取り付けた３本の支持脚を起こして腰掛けとしても利用できるものを考えた。支持脚にキャスターを付ければ、キャリヤーとして荷物を運ぶ運搬車としての役割も果たしてくれる。【選択図】図１
2017006604.tif 000002
【特許請求の範囲】
【請求項１】
上端を９０度曲げて握り兼脇支えとした棒状体上部と棒状体下部との間に略方形の腰掛け座面枠体を設けたものを杖本体とし、該棒状体上部に挿入する全長調節用の内棒の一端を該枠体の上辺中央部にジョイントを介して装着し、枠体の上辺両角部に取り付けた支持脚および枠体の下辺中央部に取り付けた棒状体下部を３本の腰掛け座面の支持脚として形成し、該取り付け部位にいずれも９０度屈曲するジョイントを介したことを特徴とする腰掛け付き杖兼松葉杖。
【請求項２】
腰掛け座面を囲む枠体内に枠体の相対する辺にまたがる補強板を設け、該補強板上に平板およびクッション材を装着し、補強板と支持脚をつなぐステーを設けた請求項１に記載の腰掛け付き杖兼松葉杖。
【請求項３】
腰掛け座面の枠体に形成した３本の支持脚の先端にキャスターを取り付け、枠体周囲に紐掛けフックを設けた請求項１および請求項２に記載の腰掛け付き杖兼松葉杖。
【発明の詳細な説明】
【技術分野】
【０００１】  本発明は、自力での歩行に支障がある人が使用する歩行補助具の杖や松葉杖に関するものである。
【背景技術】
【０００２】  従来、杖や松葉杖は、杖は杖としてだけ使用する、松葉杖は松葉杖としてだけ使用するというように、単体として用途を限定して使っている場合が普通であった。しかし最近では、杖を使っている人が杖を椅子としても使いたいし、松葉杖としても使えればなおよいという願いがあり、それが決して贅沢なことではなくなってきている。これまでに出願されている特許や実用新案を見ても、杖に関連した数々のアイデアが出願され社会の要望が見てとれるのであるが、いまだにそうした歩行補助具が一般化していないのが現実である。
【先行技術文献】
【特許文献】
【０００３】
【特許文献１】特開平９−２０１２１５号公報
【発明の概要】
【発明が解決しようとする課題】
【０００４】  上述した状況からもわかるように、これまでは杖のような歩行補助具があって、それが本来持っている機能が達成されればそれでよかったものが、社会ニーズの多様化によって最近では多くの用途が求められる時代になってきている。そこで本発明は、高齢者を中心に要望が多いと思われる杖の用途を多様化して、杖だけではなく簡単な松葉杖としても使え、腰をおろして休むことのできる椅子としても使え、また手荷物が運べる手軽なキャリャーとしても使える複数機能を備えた杖の登場を実現しようとするものである。
【課題を解決するための手段】
【０００５】  そこで本発明の歩行補助具である杖は、請求項１に述べるように、上端を９０度曲げて握り兼脇支えとした棒状体上部と棒状体下部との間に略方形の腰掛け座面枠体を設けたものを杖本体とし、該棒状体上部に挿入する全長調節用の内棒の一端を該枠体の上辺中央部にジョイントを介して装着し、枠体の上辺両角部に取り付けた支持脚および枠体の下辺中央部に取り付けた棒状体下部を３本の腰掛け座面の支持脚として形成し、該取り付け部位にいずれも９０度屈曲するジョイントを介したものである。【０００６】  また、請求項２の本発明の歩行補助具は、腰掛け座面を囲む枠体内に枠体の相対する辺にまたがる補強板を設け、該補強板上に平板およびクッション材を装着し、補強板と支持脚をつなぐステーを設けたものである。【０００７】  また、請求項３に述べる本発明の歩行補助具は、腰掛け座面の枠体に形成した３本の支持脚の先端にキャスターを取り付け、枠体周囲に紐掛けフックを設けたものである。
【発明の効果】
【０００８】  本発明の腰掛け付き杖兼松葉杖は、杖または松葉杖を使い歩いて疲れを感じたときに、腰掛けの枠体に取り付けた３本の支持脚を起こすという簡単な操作で腰を降ろして休むことができるほか、小さな荷物であればそこに載せて運ぶこともできる。
【図面の簡単な説明】
【０００９】
【図１】  本発明の腰掛け付き杖兼松葉杖の背面図である。
【図２】  本発明の腰掛け付き杖兼松葉杖の側面図である。
【図３】  本発明の腰掛け付き杖兼松葉杖の腰掛け使用状態を示す斜視図である。
【図４】  腰掛け枠体への支持脚取り付けジョイントを示す部分斜視図である。
【発明を実施するための形態】
【００１０】（実施の形態１）
図１は本発明の実施の形態１に係る、腰掛け付き杖兼松葉杖を示す背面図である。杖兼松葉杖は、棒状体上部１ａと棒状体下部（兼支持脚）１ｂ（以下、棒状体下部１ｂという）およびその中間に取り付ける腰掛け用の略方形座面７で構成される。本体を杖または松葉杖として使用するときには、棒状体上部１ａとその中をスライドする内棒３とで全長を使用者の身長に合わせて長さ調節をし、雄ねじ９で留めてから使用する。内棒３および棒状体下部１ｂは、それぞれ枠体６上辺中央部、枠体６下辺中央部に、いずれもジョイントを介して取り付ける。枠体６下辺に取り付ける棒状体下部１ｂは、起こして腰掛け座面７の支持脚となるため９０度屈曲できるジョイントを使用し、補強板１０とステー１１でつなぎ直立状態を維持する。
【００１１】  本体を腰掛けとして使用する場合のために、腰掛け用略方形の枠体６の上辺両角部に各１本の支持脚８を棒状体下部１ｂと同じ面に直立するように取り付け、不使用時には折りたたんで枠体６に沿わせておき、使用時に直立させて棒状体下部１ｂと３本セットの支持脚として使用する。したがって、この２本の支持脚も９０度屈曲できる支持脚ジョイント５を介して取り付けるが、使用時に直立状態を維持するために支持脚８と補強板１０間をステー１１でつなぎ常に一定の直立角度を保つ。
【００１２】  これを杖または松葉杖として使用するときには、握り兼脇支え部２を手で握り、棒状体上部１ａから棒状体下部１ｂに至るまで全体を曲げず一直線にして使用する。したがって、棒状体が屈曲しないようにジョイント部をジョイントカバー上４ａおよびジョイントカバー下４ｂで覆い固定して使用する。なお、これを松葉杖として使用する場合は、握り兼脇支え２を脇の下にあてがい歩行する。このとき手は棒状体上部１ａまたは内棒３を握って歩行するが、棒状体上部１ａの途中にグリップを設けて握ってもよい（図示省略）。
【００１３】  図２は本発明の実施形態１に係る腰掛け付き杖兼松葉杖を示す側面図である。腰掛けとして使用するときには、腰掛けの枠体６と内棒３との連結部ならびに枠体６と棒状体下部１ｂとの連結部のジョイントカバー４ａ、４ｂをずらして外し、腰掛けの枠体６に取り付けた３本の支持脚を９０度起こして直立させた後、支持脚８および棒状体下部１ｂと補強板１０とをステーでつなぎ支持脚を固定する。これで全体を横に倒せば腰掛けとして使用できる。この場合、棒状体下部１ｂは支持脚３本のうちの１本として機能する。なお、３本の支持脚の長さであるが、背の低い人、高い人のいずれの人にとっても楽に座ることができる３０ｃｍ前後が適当である。
【００１４】  杖兼松葉杖を構成する骨組みである棒状体上部１ａと棒状体下部１ｂ、腰掛けの枠体６およびその支持脚８、ステー１１などは、使用者に高齢者や歩行に支障のある人が多いと思われることから、一定の強度に加えて取り扱いやすい軽量の素材が望ましい。この条件を満たせば金属に限らないが、アルミなどの軽い金属は理想的といえる。
【００１５】  腰掛け座面７内側には、枠体６の相対する辺をまたいで補強板１０をしっかりと取り付ける必要があるが、これは使用者の体重を支えるとともに、腰掛けの支持脚８を直立した状態に固定するステー１１を取り付ける台座としての役割をも担う。なお、補強板１０に取り付ける固定用ステー１１は支持脚のフックなどにしっかりと留めないと、支持脚が不安定になり腰掛けが倒れないとも限らないので注意が必要である。
【００１６】  腰掛け座面７の補強板１０上には金属等の薄板を敷き、その上に例えばポリエチレンフォームのような防水型クッション材を載せると、腰をおろしたときに快適なうえ天候に左右されない座面が利用できてよい。薄板の代わりに金属または合成樹脂製の網シートを敷いてもよい。なお、補強板１０は強度が要求されるため、材質は金属が望ましい。
【００１７】（実施の形態２）
図３は本発明の実施形態２に係る腰掛け付き杖兼松葉杖の腰掛け使用状態を示す斜視図である。腰掛け座面７の枠体６に取り付けた３本の支持脚８先端にキャスター１２を、枠体６の周囲には荷物を固定する数個の紐掛けフック１３を設け、腰掛け座面７を荷物運びの荷台として利用する。杖または松葉杖として使い歩行しているときに食料品などを買い求めた場合、手に持つと歩きづらいときなど腰掛け座面７に買物品を載せ、紐掛けフック１３を利用して紐で固定すれば転がして運ぶことができて楽である。
【００１８】  腰掛け座面７の支持脚８に一度キャスターを取り付けておけば、腰をおろすたびにキャスターを取り外す必要がなく、そのままの状態であるときは荷物運びに使い、またあるときは腰掛けとして使い、利用範囲が広がって便利である。なお、腰掛けとして使う場合は、握りの付いている棒状体上部１ａを地表に接地して置くと安定するし、キャリヤーとして物を運ぶ場合には握り兼脇支え２を持ち上げて引っ張ったり押したりすれば運びやすい。
【００１９】  キャスター１２は杖に常備しておき、キャリヤー使用の都度、枠体６上辺に取り付けた２本の支持脚８および棒状体下部１ｂの先端に差し込み式で取り付けることもできる。ただし、杖本体を使用するときには棒状体下部１ｂにキャスター１２がない状態で接地させたいので、該棒状体下部にはキャスターを常設しておくことができない。したがって、枠体６上辺の２本の支持脚８だけにキャスターを常設しておき、棒状体下部１ｂのキャスターはキャリヤー使用時に取り付けて使用してもよい（図示省略）。
【符号の説明】
【００２０】  １ａ・・・棒状体上部
１ｂ・・・棒状体下部（兼支持脚）
２  ・・・握り兼脇支え
３  ・・・内棒
４ａ・・・ジョイントカバー上
４ｂ・・・ジョイントカバー下
５  ・・・支持脚ジョイント
６  ・・・枠体
７  ・・・腰掛け座面
８  ・・・支持脚
９  ・・・雄ねじ
１０  ・・・補強板
１１  ・・・ステー
１２  ・・・キャスター
１３  ・・・紐掛けフック
【図１】
2017006604.tif 000003
【図２】
2017006604.tif 000004
【図３】
2017006604.tif 000005
【図４】
2017006604.tif 000006